(57)【要約】【課題】  フラッシュ装置を使わずに撮影した撮影画像の適切な色補正を容易に行う。【解決手段】レンズ付きフイルムユニットに装填される写真フイルム２２ｂには、バーコードが製造時に露光される。バーコードは、フラッシュ発光させずに撮影されたことを示す特有なフイルム種別を含む各種情報をコード化することにより作成され、これによりフラッシュレス情報を写真フイルムに付与している。プリント処理時には、現像で顕在化したバーコードを読み取って、フラッシュレス情報が付与された写真フイルムと判別したときには、フラッシュレス撮影専用の色補正用ＬＵＴを用いて色補正を行う。【選択図】        図７
2006078998.tif 000002
【特許請求の範囲】
【請求項１】
撮影機構を内蔵したユニット本体に未露光の写真フイルムが製造時に装填されるフラッシュ装置を有しないレンズ付きフイルムユニットにおいて、
前記写真フイルムは、フラッシュ装置を使用しない撮影用の写真フイルムであることを示すフラッシュレス情報が露光範囲外に光学的に予め記録されていることを特徴とするレンズ付きフイルムユニット。
【請求項２】
前記フラッシュレス情報は、バーコードで記録されていることを特徴とする請求項１記載のレンズ付きフイルムユニット。
【請求項３】
前記フラッシュレス情報は、ドットマークで記録されていることを特徴とする請求項１記載のレンズ付きフイルムユニット。
【請求項４】
前記写真フイルムは、フイルム感度がＩＳＯ１６００以上であることを特徴とする請求項１ないし３のいずれか１項に記載のレンズ付きフイルムユニット。
【請求項５】
前記写真フイルムは、フイルム感度がＩＳＯ３２００以上であることを特徴とする請求項１ないし３のいずれか１項に記載のレンズ付きフイルムユニット。
【請求項６】
プリンタによるプリント写真の作成時に、写真フイルムからフラッシュ装置を使用しない撮影用の写真フイルムであることを示すフラッシュレス情報を検出した際には、フラッシュレス撮影用に予め決められた色補正処理を行うことを特徴とするプリント写真作成方法。
【請求項７】
プリンタによるプリント写真の作成時に、写真フイルムからフラッシュ装置を使用しない撮影用の写真フイルムであることを示すフラッシュレス情報を検出した際には、フラッシュレス撮影用に予め決められた色補正用変換テーブルを用いて色補正を行うことを特徴とするプリント写真作成方法。
【発明の詳細な説明】
【技術分野】
【０００１】
本発明は、レンズ付きフイルムユニット及びプリント写真作成方法に関するものである。
【背景技術】
【０００２】
写真フイルムが予め装填されたレンズ付きフイルムユニットが各種販売されている。このようなレンズ付きフイルムユニットとしては、フラッシュ装置を搭載し、暗い室内等でも撮影を行うことができるようにしたフラッシュ内蔵型のものもある。また、撮影条件に応じた撮影モードを選択することにより、各種の明るさの撮影シーンに対応したモード切替型のものもある。
【０００３】
上記のモード切替型として、高感度の写真フイルムを用いることにより、室内や夜間の暗い場所での撮影において、背景の描写性を向上させたものがある。例えば、本出願人により製造販売されているレンズ付きフイルムユニット「Ｎｉｇｈｔ＆Ｄａｙ（商品名）」では、ＩＳＯ１６００の写真フイルムを用いるとともに、日中屋外等の明るい場所での撮影に対応する日中撮影モード（フラッシュ発光せず）と日中シンクロ撮影モード（フラッシュ発光あり）と、夜景等のように暗い被写体を撮影するような場合、あるいは夜景や暗い室内を背景にし、その背景を適当な濃度で再現しながら人物等の主要被写体をフラッシュ光で撮影する場合に対応する夜景シンクロ撮影モードの３つの撮影モードを備えている。
【０００４】
ところで、フラッシュ装置を使った撮影では、照明された主要被写体の陰影がなくなったり、背景の光源色をフラッシュ光が打ち消してしまったりして、どの写真を見ても平面的な同じような印象の写真になってしまう傾向が高いが、人物等の主要被写体についてはフラッシュ光で十分な明るさを確保することができる。また、フラッシュ装置を使わない撮影では、露出不足が発生したりする恐れがあるものの、アベイラブル光を活かした撮影によって、背景と主要被写体との明るさや色合いに一体感がある良好な写真画像を得ることができる。
【０００５】
一方、写真フイルム上の撮影画像をイメージセンサで読み取り、その読み取りで得られる画像データに基づいて、印画紙に露光を行うことでプリント写真を作成するデジタルプリンタがある。このデジタルプリンタでは、印画紙への露光に先立ち写真フイルム上の全コマを先読みし、その結果を用いた計算処理で赤色光，緑色光，青色光の焼付露光量を決定、すなわち色補正，濃度補正するものがある。
【発明の開示】
【発明が解決しようとする課題】
【０００６】
しかしながら、フラッシュ装置を使わずに撮影した場合には、写真フイルム上の各撮影画像は撮影シーン毎のアベイラブル光に応じた色味となる。このため、写真フイルム上には、タングステン光源や蛍光灯等の人工光源下で撮影されて各種色味が偏った撮影画像と日中屋外で撮影された標準的な色味の撮影画像とが混在することとなる。そのため、上記のような手法で色補正を行うと、デジタルプリンタではフイルム１本の撮影画像を平均化
して補正値を算出するため、１本の写真フイルム上に色味が偏った撮影画像が多数ある場合には、その色味が偏った撮影画像が補正値に及ぼす影響が大きくなる。その結果、色味が偏った撮影画像からは色補正が適正にされたプリント写真が得られるものの、日中屋外で撮影されて本来標準的な色味であったはずの撮影画像に対して過剰な色補正を行ってしまい色味が偏ったプリント写真となってしまう問題が生じることになる。また、撮影者がアベイラブル光に応じた色味を活かした撮影を行ったとしても、標準的な色味に補正されたプリント写真が作成されてしまうという不都合もあった。
【０００７】
本発明は上記課題を解決するためのものであり、フラッシュ装置を使わずに撮影した画像のプリント写真を作成する際に適切な色補正を可能とするレンズ付きフイルムユニットとプリント方法を提供することを目的とする。
【課題を解決するための手段】
【０００８】
請求項１記載のレンズ付きフイルムユニットでは、フラッシュ装置を内蔵しないユニット本体に製造時に装填される写真フイルムに、フラッシュ装置を使用しない撮影用の写真フイルムであることを示すフラッシュレス情報を露光範囲外に光学的に予め記録したものである。
【０００９】
請求項２記載のレンズ付きフイルムユニットでは、フラッシュレス情報を、バーコードで記録したものであり、請求項３記載のレンズ付きフイルムユニットでは、フラッシュレス情報を、ドットマークで記録したものである。
【００１０】
請求項４記載のレンズ付きフイルムユニットでは、写真フイルムを、フイルム感度がＩＳＯ１６００以上としたものであり、請求項５記載のレンズ付きフイルムユニットでは、ＩＳＯ３２００以上としたものである。
【００１１】
請求項６記載のプリント写真作成方法では、プリンタによるプリント写真の作成時に、写真フイルムからフラッシュ装置を使用しない撮影用の写真フイルムであることを示すフラッシュレス情報を検出した際に、フラッシュレス撮影用に予め決められた色補正処理を行うようにしたものであり、請求項７記載のプリント写真作成方法では、フラッシュレス情報を検出した際には、フラッシュレス撮影用に予め決められた色補正用変換テーブルを用いて色補正を行うようにしたものである。
【発明の効果】
【００１２】
本発明のレンズ付きフイルムユニットによれば、フラッシュ装置を内蔵していないレンズ付きフイルムユニットに装填される写真フイルムに、フラッシュ装置を使用しない撮影のための写真フイルムであることを示すフラッシュレス情報を予め記録したから、このフラッシュレス情報に基づいて、プリント写真の際にフラッシュレス撮影に適した色補正を容易に行うことができ、人工光源の下で撮影された撮影画像と日中屋外で撮影された撮影画像とが混在するような場合であっても、日中屋外で撮影された撮影画像を本来の標準的な色味でプリント写真上に再現することができる。
【００１３】
また、本発明のプリント写真作成方法によれば、プリンタでプリント写真を作成する時にフラッシュレス情報を検出した場合に、フラッシュレス撮影用に予め決められた色補正処理，フラッシュレス撮影用に予め決められた色補正用変換テーブルを用いた色補正を行うからプリント作成処理に負荷をかけることなく、また作業性を低くすることなく、フラッシュレス撮影に適した色補正を行うことができ、人工光源の下で撮影された撮影画像と日中屋外で撮影された撮影画像とが混在するような場合であっても、日中屋外で撮影された撮影画像を本来の標準的な色味でプリント写真上に再現することができる。
【発明を実施するための最良の形態】
【００１４】
本発明を実施したレンズ付きフイルムユニットの外観を図１に示す。レンズ付きフイルムユニット２は、各種撮影機構が組み込まれたユニット本体３と、このユニット本体３の製造時に装填されたフイルムパトローネと、ユニット本体３の外周に巻き付けられるようにして貼付されるラベル４とからなる。ラベル４には、ユニット本体３の各部を露呈する開口を設けてある。
【００１５】
このレンズ付きフイルムユニット２には、ストロボ装置や、発光ダイオード等の各種光源装置等のように、被写体に向け撮影用の補助光を照射するフラッシュ装置が搭載されていない。ユニット本体３の前面には、撮影レンズ５，ファインダ６，撮影モード選択部８が設けられている。また、ユニット本体３の上面には、レリーズボタン９，カウンタ表示窓１０が設けられ、背面には撮影後のフイルム巻き上げに用いられる巻上げノブ１２の一部が露呈している。
【００１６】
撮影モード選択部８は、ユニット本体３の前面に形成された操作開口１４と、この操作開口１４内で回動自在とされた略小判形状の操作部材１５とからなり、図１に示される第１操作位置と、図２に示すように、第１操作位置から図中時計方向に回動された第２操作位置との間で回動される。
【００１７】
この操作部材１５を操作することで、日中屋外等の明るい場所での撮影に対応した小絞り及び高速シャッタ速度の第１撮影モードと、夜景等のように暗い被写体を撮影するような場合、あるいは夜景や暗い室内を背景にし、その背景を適当な濃度で再現しながら人物等の主要被写体をストロボ光で撮影する場合に対応した大絞り及び低速シャッタ速度の第２撮影モードとのいずれかを選択することができる。操作部材１５を第１操作位置とすると、第１撮影モードとなり、第２操作位置とすると第2撮影モードとなる。
【００１８】
ユニット本体３の構成を図３に示す。ユニット本体３は、１３５タイプのフイルムパトローネ２２が装填される本体基部２３と、撮影モードの切り替えを行うモード切替機構２５と、本体基部２３の前面側及び背面側に取り付けられる前カバー２６及び後カバー２７とからなる。
【００１９】
フイルムパトローネ２２は、パトローネ２２ａと、写真フイルム２２ｂとからなり、前述のように製造時に装填される。写真フイルム２２ｂとしては、フイルム感度がＩＳＯ３２００のネガカラータイプのものが用いられている。フイルム感度としては、ＩＳＯ１６００以上が好ましく、ＩＳＯ３２００以上がより好ましい。
【００２０】
本体基部２３の前面中央には、遮光筒３５が設けられている。この遮光筒３５の周囲には、シャッタチャージ機構，シャッタ機構，フイルム巻上げ機構，フイルム巻止機構，フイルムカウント機構，絞り切替機構，シャッタ速度切替機構，撮影光学系，ファインダ光学系等が組み付けられている。
【００２１】
図４に遮光筒３５の周囲に組み付けられた機構の概略的に示す。露光開口３７は、遮光筒３５の前面に設けられている。シャッタ機構を構成するシャッタ羽根３８は、軸３９を中心に回動自在にされている。このシャッタ羽根３８は、バネ４０に付勢されて、その羽根部３８ａで露光開口３７を塞ぐ閉じ位置に保持する。
【００２２】
シャッタレリーズ機構４１は、レリーズボタン９の押圧操作に応答して、シャッタ羽根３８の突出部３８ｂを図中矢線Ａ方向に蹴飛ばす。蹴飛ばされたシャッタ羽根３８は、バネ４０の付勢に抗して図中矢線Ｂ方向に回動し、露光開口３７を全開した後に、バネ４０の付勢によって閉じ位置に復帰する。
【００２３】
シャッタ速度切替機構４２は、操作部材１５と一体に形成された連動レバー１５ａに連動しており、操作部材１５の操作位置に応じてシャッタ速度を高速シャッタ速度と低速シャッタ速度とに切り替える。シャッタ速度切替機構４２は、操作部材１５が第１操作位置のときにシャッタ羽根３８の回動角度を小さくすることで高速シャッタ速度とし、第２操作位置のときにシャッタ羽根３８の回動角度を大きくすることで低速シャッタ速度とする。この例では、高速シャッタ速度は、１／１００秒、低速シャッタ速度は１／４５秒となっている。
【００２４】
撮影レンズ５は、第１レンズ５ａと第２レンズ５ｂとから構成される。これら第１レンズ５ａと第２レンズ５ｂとの間に、大絞り板４３が配される。大絞り板４３は、円形の薄板からなり、中央に大径の絞り開口４３ａが形成されている。絞り開口４３ａは、第２撮影モードの大絞りとなるものであって、絞り値がＦ４．０となるようにその径が決められている。
【００２５】
絞り切替板４４は、一端に大絞り開口４３ａを塞ぐ大きさの小絞り部４４ａが設けられ、この小絞り部４４ａには、小径の小絞り開口４４ｂが形成されている。小絞り開口４４ｂは、第１撮影モードの小絞りとなるものであって、絞り値がＦ１６となるようにその径が決められている。この絞り切替板４４は、軸４５を中心に回動自在であり、小絞り部４４ａを撮影光路中に配置する挿入位置と、この挿入位置から図中矢線Ｃ方向に回動して撮影光路上から退避した退避位置との間で回動する。絞り切替板４４が挿入位置となると、撮影光は、大絞り開口４３ａと、小絞り開口４４ｂとを通過するようになり、結果的には径の小さい小絞り開口４４ｂによって光量が制限される。
【００２６】
絞り切替機構４６は、シャッタ速度切替機構４２と同様に連動レバー１５ａに連動しており、操作部材１５の操作位置に応じて絞り切替板４４を回動させる。絞り切替機構４６は、操作部材１５が第１操作位置のときに絞り切替板４４を挿入位置とし、第２操作位置のときに退避位置とする。
【００２７】
写真フイルム２２ｂは、例えば一般に市販されたり、他のレンズ付きフイルムユニットに装填されるもの種類のものであるが、上記レンズ付フイルムユニット２に装填される写真フイルム２２ｂには、ストロボ光等の補助光を使用せずに撮影されていることを示すフラッシュレス情報が製造時に付与（記録）される。
【００２８】
図５（ａ）に示すように、写真フイルム２２ｂは、露光範囲５１の外側にバーコード５２が製造時に潜像として光学的に記録される。このバーコード５２は、現像処理によって顕在化する。この例におけるバーコード５２は、これまでの一般的な写真フイルムに記録されているＤＸコード形式のバーコードであって、フイルムメーカ，フイルム種別，ロット番号等をコード化したものとなっている。バーコード５２は、現像処理後に写真フイルム２２ｂが適当なコマ数毎に切り分けられても読み取りが可能なように、図５（ｂ）に示すように、１本の写真フイルムに適当な間隔で複数記録される。なお、図中の符号５３は、パーフォレーションである。
【００２９】
上記レンズ付フイルムユニット２に装填される写真フイルム２２ｂには、一般に市販されたり他のレンズ付きフイルムユニットに装填されるものとは異なる特有のフイルム種別を用いてコード化したバーコード５２を記録する。これにより、レンズ付きフイルムユニット２に装填される写真フイルム２２ｂにはフラッシュレス情報が付与される。
【００３０】
図６にプリンタの構成の一例を示す。デジタルプリンタ６０は、大別して入力部６１と出力部６２とからなり、入力部６１は現像済みの写真フイルムからバーコードを読み取るバーコードセンサ６３、写真フイルム２２ｂの各撮影コマからカラー画像を読み取るスキャナ６４，Ａ／Ｄ変換器６５、画像メモリ６６，画像処理部６７、及びこれらを制御するコントローラ６８等からなる。
【００３１】
現像済みの写真フイルム２２ｂが、図示しない搬送機構によって搬送され、スキャナ６４に送られる。この搬送の際に、バーコードセンサ６３は、写真フイルム２２ｂからバーコード５２を読み取る。読み取られたバーコード５２はコントローラ６８に送られる。コントローラ６８は、このバーコード５２に基づいて、画像処理部６７を制御する。
【００３２】
スキャナ６４は、図示しないフイルムキャリア、ランプ、このランプから光を拡散してフイルムキャリアにセットされている撮影コマを照射する拡散ボックス、撮影コマを読み取るイメージセンサ、撮影コマのカラー画像をイメージセンサに結像させるレンズ等から構成される。このスキャナ６４は、写真フイルム２２ｂが１コマ分送られる毎に、イメージセンサでカラー画像を赤色、青色、緑色で三色分解側光し、得られる光電信号をＡ／Ｄ変換器６５に送る。
【００３３】
Ａ／Ｄ変換器６５は、各光電信号をデジタル変換することにより、撮影コマのカラー画像を３色の画像データに変換する。３色の画像データは、画像メモリ６６に書き込まれる。画像処理部６７は、画像メモリ６６に写真フイルム１本分の画像データが書き込まれると、これを読み出してコントローラ６８の制御に基づいた所定の画像処理を行う。画像処理部６７が行う画像処理としては、色補正，濃度補正，γ補正などがある。画像処理が行われた画像データは、出力部６２の画像メモリ７１に出力される。
【００３４】
ＲＯＭ６９には、フラッシュレス撮影用の色補正用ＬＵＴが書き込まれている。この色補正用ＬＵＴは、デイライト（昼光）タイプの写真フイルム２２ｂを用いて日中屋外で撮影した無彩色の被写体に色味が付かないように、画像データに示される各色の濃度を変換するための色補正用の濃度変換テーブルであって、写真フイルム２２ｂの特性から決めてある。なお、発色特性の異なる写真フイルムの種類毎に色補正用ＬＵＴをそれぞれ用意し、その写真フイルムの種類毎に特有のフイルム種別を付与することで、フラッシュレス情報を有する異なる種類の写真フイルムに対応することができる。
【００３５】
画像処理部６７は、フラッシュレス情報を持つバーコード５２が記録された写真フイルム２２ｂからの撮影画像については、ＲＯＭ６９の色補正用ＬＵＴを用いて色補正を行う。フラッシュレス情報を持たない通常の写真フイルムからの撮影画像については、通常プリント処理を行って、例えば１本分の全撮影コマの画像データから統計的な演算処理を行って色補正を行う。
【００３６】
出力部６２は、画像メモリ７１、赤色、青色、緑色の各レーザー光を出力するレーザユニット７２、このレーザユニット７２の出力を画像メモリ７１の画像データに応じて制御するドライバ７３、ポリゴンミラー７４、Ｆθレンズ７５、長尺のカラー印画紙７６を搬送する搬送機構（図示せず）等から構成される。
【００３７】
搬送機構によってカラー印画紙７６がその長手方向に搬送されている間に、高速回転するポリゴンミラー７４によるレーザー光の走査によってカラー印画紙７６に各撮影コマの画像が露光される。露光されたカラー印画紙７６は、現像処理の後に１個の画像毎に切り分けられてプリント写真とされる。
【００３８】
次に、上記構成の作用について説明する。図７に示すように、レンズ付きフイルムユニット２に装填される写真フイルム２２ｂには、その製造時にフラッシュレス情報を含ませたバーコード５２が潜像として記録される。
【００３９】
バーコード５２が記録された写真フイルム２２ｂは、パトローネ２２ａとともにユニット本体３に装填される。そして、完成したユニット本体３にラベル４が貼付されたレンズ付きフイルムユニット２が出荷され、ユーザのもとで撮影に供される。
【００４０】
日中屋外等の明るい場所で撮影を行う場合には、第１撮影モードを選択する。第１撮影モードを選択するには、図１に示されるように、操作部材１５を第１操作位置にする。操作部材１５が第１操作位置とされることにより、小絞り，高速シャッタ速度にセットされ、レリーズボタン９の押圧によって写真フイルム２２ｂに露光が行われる。
【００４１】
一方、夜景等のように暗い被写体を撮影するような場合、あるいは室内を背景に人物等の主要被写体を撮影する場合には、図２に示されるように、操作部材１５を第１操作位置から第２操作位置に回動し、第２撮影モードを選択する。これにより、大絞り，低速シャッタ速度にセットされ、レリーズボタン９の押圧によって写真フイルム２２ｂに露光が行われる。
【００４２】
いずれの撮影モードでの場合でも、ストロボ光などのフラッシュ光は被写体に向けて照射されないから、その撮影時のアベイラブル光によって写真フイルム２２ｂが露光される。
【００４３】
以上のようにして、撮影モードを選択しながら撮影を行い、全コマの撮影の終了後、レンズ付きフイルムユニット２を現像所やＤＰＥ店に提出する。現像所等では、ユニット本体３から撮影済の写真フイルム２２ｂを収納したパトロ−ネ２２ａが取り出される。
【００４４】
写真フイルム２２ｂは、パトローネ２２ａから引き出されてから所定の現像装置にかけられてカラー現像処理された後、デジタルプリンタ６０にセットされる。デジタルプリンタ６０は、現像済の写真フイルム２４を引き出して、これの先端をスキャナ６４に向けて搬送する。
【００４５】
この搬送中にバーコードセンサ６３により、写真フイルム２２ｂの縁部に現像で顕在化したバーコード５２が読み取られてコントローラ６８によって解読される。そして、バーコード５２に基づきフラッシュレス情報が付与された写真フイルム２２ｂであるか否かが判断される。この判断は、バーコード５２から解読されるフイルム種別がフラッシュレス用に割り当てられたものか否かで判断することができる。また、バーコードが記録されていない場合にも、フラッシュレス情報が付与されていないと判断する。
【００４６】
この場合には、フラッシュレス情報が付与された写真フイルム２２ｂであるから、コントローラ６８は、処理を開始した写真フイルム２２ｂに対しては、ＲＯＭ６９の色補正用ＬＵＴを用いて色補正を行うように画像処理部６７を制御する。
【００４７】
１番目の撮影コマがスキャナ６４のネガキャリアにセットされると、イメージセンサが作動されて撮影コマのカラー画像が読み取られ、Ａ／Ｄ変換器６５を介して３色の画像データが画像メモリ６６に書き込まれる。この後、２番目の撮影コマがスキャナ６４のネガキャリアにセットされる。以下、同様にして２番目以降の各撮影コマのカラー画像が読み取られ、それらの画像データが画像メモリ６６に書き込まれる。
【００４８】
写真フイルム２２ｂの全撮影コマの画像データが画像メモリ６６に書き込まれた後、画像処理部６７によって１コマ分ずつ画像データが画像メモリ６６から読み出され、色補正，濃度補正，γ補正等が順次に行われる。そして、このときに、コントローラ６８の指示の下で、ＲＯＭ６９の色補正用ＬＵＴを用いて、画像データに示される濃度を変換することによって色補正を行う。
【００４９】
画像処理部６７での処理が完了すると、その処理済みの画像データが出力部６２の画像メモリ７１に順次に書き込まれる。この後、画像メモリ７１の画像データに基づいてレーザユニット７２がドライバ７３で駆動されて、各撮影コマの撮影画像が順次にカラー印画紙７６に潜像として記録される。
【００５０】
上記のようにして露光されたカラー印画紙７６の部分は、カラー用の現像処理工程に送られ、現像、定着、乾燥等が行われてから、各画像毎に切り離されてデジタルプリンタ６０から排紙される。
【００５１】
以上のようにして、レンズ付きフイルムユニット２で撮影された撮影画像は、撮影時のアベイラブル光の光源の種類にかかわらず、写真フイルム２２ｂの特性に応じた基本的な色補正だけが行われてプリント写真とされる。このため、写真フイルム２２ｂに人工光源の下で撮影された撮影画像と日中屋外で撮影された撮影画像とが混在するような場合であって、日中屋外で撮影された撮影画像は、本来の標準的な色味でプリント写真上に再現される。また、室内の照明等のアベイラブル光を活かした、例えば背景と主要被写体との明るさや色合いに一体感があるプリント写真を得ることができる。さらに、そのようなプリント写真を作成するプリント処理の際には、フラッシュレス情報に基づいて色補正ＬＵＴが指定されて、その色補正ＬＵＴを用いて色補正が行われるので処理やオペレータに負荷を与えることがない。
【００５２】
上記実施形態では、フイルム種別にフラッシュレス情報を持たせ、フイルム種別を含む各種情報をコード化したＤＸコード形式のバーコードを写真フイルムに記録しているが、他の手法でフラッシュレス情報を写真フイルムに記録してもよい。例えば、図８に示す例では、フラッシュレス情報７１として３個のドットマーク７１ａを製造時に潜像として記録してある。また、フラッシュレス情報が与えられた写真フイルムであるときに、全く色補正を行わないように制御して、プリント写真を作成することも可能である。
【図面の簡単な説明】
【００５３】
【図１】本発明を実施したレンズ付きフイルムユニットの第１撮影モードの状態を示す外観斜視図である。
【図２】レンズ付きフイルムユニットの第２撮影モードの状態を示す外観斜視図である。
【図３】レンズ付きフイルムユニットの構成を示す分解斜視図である。
【図４】絞り及びシャッタ速度切替機構の構成を示す分解斜視図である。
【図５】写真フイルムに記録されているバーコードを示す説明図である。
【図６】デジタルプリンタの構成を示すブロック図である。
【図７】レンズ付きフイルムユニットの製造からプリント写真作成までの工程の流れを示す説明図である。
【図８】フラッシュレス情報をドットマークで記録した例を示すものである。
【符号の説明】
【００５４】
２  レンズ付きフイルムユニット
３  ユニット本体
２２ｂ  写真フイルム
５２  バーコード
６０  デジタルプリンタ
６３  バーコードセンサ
６７  画像処理部
【図１】
2006078998.tif 000003
【図２】
2006078998.tif 000004
【図３】
2006078998.tif 000005
【図４】
2006078998.tif 000006
【図５】
2006078998.tif 000007
【図６】
2006078998.tif 000008
【図７】
2006078998.tif 000009
【図８】
2006078998.tif 000010